(57)【特許請求の範囲】
【請求項１】
相手側コネクタが正面側に嵌合可能な形状を有した絶縁体であって同コネクタのコンタクトに対応して端子挿入孔が等ピッチ間隔で幅方向に並べて且つ複数段位相をずらせて間隔を開けて配置されたボディと、先端側がボディの端子挿入孔に挿入保持される一方、基端側がボディの背面に沿って配置される略Ｌ字状端子であって、後端のリード部がピッチ間隔ｔで幅方向一列に並べて配置された複数段のコンタクト群と、前記コンタクト群のうち上段コンタクトと下段コンタクトとの間のインピーダンスのバラツキを抑えるための誘電体のスペーサとを備え、前記スペーサは、前記ボディの背面に対向して配設される板状のベース部と、前記ボディの背面から出た隣接コンタクトのうち上段コンタクトの隙間がｎ（ｎ：２以上の整数）×ｔとなっており且つ当該下段コンタクトの上側に位置する空き空間に挿入可能な突起部とを有したことを特徴とする電気コネクタ。
【請求項２】
請求項１記載の電気コネクタにおいて、コンタクト群を構成するコンタクトは、
相手側コネクタがボティに嵌合された状態で同コネクタのコンタクトに接触可能な接点部と、接点部の後端に連なって設けられ且つボディの端子挿入孔に挿入される本体部と、異なる段のコンタクト群との間で異なる長さを有した部位であって本体部の後端に連なり且つボディの背面に沿うように略直角に曲げて設けられた連結部と、連結部の後端に連なって設けられたリード部とを有していることを特徴とする電気コネクタ。
【請求項３】
請求項１記載の電気コネクタにおいて、複数段のコンタクト群は、差動信号を伝送するためのプラス信号用コンタクト、マイナス信号用コンタクト及びコモングランド用コンタクトを有し、長さ方向に垂直な断面上において、プラス信号用コンタクト及びマイナス信号用コンタクトを底辺側、コモングランド用コンタクトを頂点側として三角形状に配置したものが一組とされ、これらの複数組が上下位置関係を交互に逆にして幅方向に順次配列されていることを特徴とする電気コネクタ。
【請求項４】
請求項１記載の電気コネクタにおいて、スペーサの材質としてボディの材質の比誘電率に比べて大きい比誘電率を有するものが使用されていることを特徴とする電気コネクタ。
【請求項５】
請求項１記載の電気コネクタにおいて、ボディの外面を取り囲む金属製筒状体であってバックカバー部を有したシールドカバーを備えていることを特徴とする電気コネクタ。
【請求項６】
請求項１記載の電気コネクタにおいて、ボディの外面を取り囲む金属製筒状体であってバックカバー部を有したシールドカバーを備えており、シールドカバーは、相手側コネクタがボティに嵌合された状態で同コネクタの外周シールドに接触可能になっていることを特徴とする電気コネクタ。
【請求項７】
請求項５又は６記載の電気コネクタにおいて、スペーサの後端側がシールドカバーのバックカバー部の裏面に当接していることを特徴とする電気コネクタ。
【請求項８】
請求項１記載の電気コネクタにおいて、スペーサはベース部がボディの背面上に装着可能であることを特徴とする電気コネクタ。
【発明の詳細な説明】
【技術分野】
【０００１】
本発明は、主として高速デジタル信号伝送に使用され、高レベルでのインピーダンスマッチングを行うのに最適な電気コネクタに関する。
【背景技術】
【０００２】
電気信号の高速伝送のために従来用いられてきた伝送方式としては、平衡（シングルエンド）型と差動（ディファレンシャル）型とがある。不平衡型は、各信号経路に１本の信号線を使用し、グランド線を各経路共通とし、グラウンドを基準として信号線の電圧を信号として伝送する。一方、差動型は、各信号経路に２本の信号線を用い、２線間の電圧の差を信号として伝送する。差動型において２本の信号線の電圧は、大きさが互いに等しく且つ位相が１８０°異なり、電磁ノイズのように２本の信号線に等しく加わる信号に対しては応答しない。よって、差動型は平衡型に比べてノイズに強いという特長があり、高速伝送に適している。
【０００３】
このような差動型の伝送方式に使用される電気コネクタの一例としては、図１２に示すようなものがある。即ち、ボディ５００に端子挿入孔５１０が形成され、端子挿入孔５１０に上段・下段コンタクト６００ａ，６００ｂが挿入保持されている。上段・下段コンタクト６００ａ，６００ｂは、ボディ５００の幅方向に向けて千鳥状に配列され、その基端側がボディ５００の背面から出され、略直角に下方に向けて曲げられ、図外の回路基板に取り付け可能になっている。
【０００４】
上段・下段コンタクト６００ａ，６００ｂについては、ボディ５００の端子挿入孔５１０に挿入される本体部と、本体部の後端に連なり且つボディ５００の背面に沿うように略直角に曲げて設けられた連結部と、連結部の後端に連なって設けられたリード部とを有した構造となっている（例えば、特許文献１等）。
【０００５】
【特許文献１】特開２００５−２９３９７０号公報
【発明の開示】
【発明が解決しようとする課題】
【０００６】
しかしながら、上記従来例による場合、上段・下段コンタクト６００ａ，６００ｂの位置違いに関連して隣接コンタクト間にインピーダンスのミスマッチが存在している。しかも高レベルでのインピーダンス整合が困難であり、伝送特性を劣化させる大きな要因となっている。
【０００７】
例えば、上段・下段コンタクト６００ａ、６００ｂについて、図中に併せて示されているように、本体部の各幅寸法が０．７ｍｍ、各ピッチ間隔が１ｍｍ、上下段のオフセットが０．５ｍｍ、連結部及びリード部の各幅寸法が０．２ｍｍである場合、リード部のピッチ間隔が０．５ｍｍとなる。もっとも、上段コンタクト６００ａの連結部がボディ５００の背面から出されて下方に向け略直角に曲げられた後、下段コンタクト６００ｂの連結部と平行になるに至るまでの区間については、隣接コンタクトの間隔が１ｍｍとなっている。
【０００８】
このようにボディ５００の背面から出た隣接コンタクト間の距離については、その全てが０．５ｍｍではなく１ｍｍである部分が存在している。隣接コンタクト間の距離が大きくなると、これに伴って静電容量が小さくなり、インピーダンスが大きくなる。また、上段コンタクト６００と下段コンタクト６００との段差の分だけ、上段コンタクト６００の連結部が下段コンタクト６００の連結部に比べて長く、誘電体であるボディ５００に覆われず空気に触れる面積が大きいことから、この面でも静電容量が小さくなる。
【０００９】
よって、上段コンタクト６００ａのインピーダンスが下段コンタクト６００ｂに比べて大きくなっており、コンタクトの配置等によっては、所定の規格値を大きく超えるケースもある。しかも差動ペア内及び差動ペア間において高レベルでインピーダンス整合を図ることが容易でない。これは差動型の電気コネクタの特有の問題ではなく、平衡型の電気コネクタについても同様の問題がある。
【００１０】
本発明は上記した背景の下で創作されたものであって、その目的とするところは、複数段のコンタクト群の位置違いに関係なく、高レベルでのインピーダンス整合を図ることが可能な電気コネクタを提供することにある。
【課題を解決するための手段】
【００１１】
本発明に係る電気コネクタは、相手側コネクタが正面側に嵌合可能な形状を有した絶縁体であって同コネクタのコンタクトに対応して端子挿入孔が等ピッチ間隔で幅方向に並べて且つ複数段位相をずらせて間隔を開けて配置されたボディと、先端側がボディの端子挿入孔に挿入保持される一方、基端側がボディの背面に沿って配置される略Ｌ字状端子であって、後端のリード部がピッチ間隔ｔで幅方向一列に並べて配置された複数段のコンタクト群と、コンタクト群のうち上段コンタクトと下段コンタクトとの間のインピーダンスのバラツキを抑えるための誘電体のスペーサとを備えている。スペーサは、ボディの背面に対向して配設される板状のベース部と、ボディの背面から出た隣接コンタクトのうち上段コンタクトの隙間がｎ（ｎ：２以上の整数）×ｔとなっており且つ当該下段コンタクトの上側に位置する空き空間に挿入可能な突起部とを有している。
【００１２】
このように本発明に係る電気コネクタは、ボディの背面から出た隣接コンタクトの隙間の空き領域にスペーサが各々配置された構成となっているので、空き領域の両側に位置する隣接コンタクトの間の静電容量が大きくなり、隣接コンタクトのインピーダンスを小さくすることが可能になる。しかもスペーサの材質や大きさ等を変更するという方法でインピーダンスの大きさを容易に調整することができる。よって、コンタクト群の上下段の位置違いに関係なく、インピーダンスのバラツキが抑止され、高レベルでのインピーダンス整合を図ることが可能となり、これに伴って、コネクタの伝送特性が良好になる。また、相手型コネクタがボディに嵌合する際にコンタクト群の先端部に作用する力によりコンタクトがボディの端子挿入孔から後方に脱落しようとしても、コンタクトの基端側がスペーサのベース部に接触して当て止めされ得ることから、上記した効果に加えて、コンタクトの脱落強度が高まる。また、コンタクトの基端部とシールドカバーとの間にスペーサが介在されていることから、コンタクトがシールドカバーに接触して電気的に短絡される虞れもなくなった。これらの点で、コネクタの高性能化を図ることが可能になる。
【００１３】
本発明に係る電気コネクタは、上記した基本構成に加えて、複数段のコンタクト群については、差動信号を伝送するためのプラス信号用コンタクト、マイナス信号用コンタクト及びコモングランド用コンタクトを有し、長さ方向に垂直な断面上において、プラス信号用コンタクト及びマイナス信号用コンタクトを底辺側、コモングランド用コンタクトを頂点側として三角形状に配置したものが一組とされ、これらの複数組が上下位置関係を交互に逆にして幅方向に順次配列するようになっている。
【００１４】
このように本発明に係る電気コネクタは、差動ペア間及び差動ペア間の相対的な位置関係が等しい構成となっているので、インピーダンス整合が一層図られ、これに伴ってコネクタの伝送特性が一層良好になる。
【００１５】
本発明に係る電気コネクタは、上記した基本構成に加えて、スペーサの後端側がシールドカバーのバックカバー部の裏面に当接している。
【００１６】
このように本発明に係る電気コネクタは、ボディの背面から出たコンタクト群とシールドカバーのバックカバー部との間がスペーサにより電気的に絶縁される構成となっているので、上記した効果に加えて、耐電圧特性を低下させることなく、シールドカバーとコンタクトとの間の間隔を小さくすることが可能になる。この間隔が小さくなると、コネクタ全体の小型化だけでなく、コンタクト全体の静電容量が大きくなり、この面でインピーダンスを小さくすることが可能になり、コネクタの伝送特性が一層良好になる。
【発明を実施するための最良の形態】
【００１９】
以下、本発明の実施の形態を図面を参照して説明する。図１は電気コネクタの正面図、図２は同電気コネクタの平面図、図３は同電気コネクタの背面図である。図４は同電気コネクタの側面図であって、シールドカバーを外した状態を示す図である。図５は同電気コネクタの背面図であって、シールドカバーのバックカバー部を開けた状態を示す図である。図６は同電気コネクタの背面図であって、シールドカバーのバックカバー部を開け、さらにボディからスペーサを取り外した状態を示す図である。図７は同電気コネクタのコンタクト群の配置関係等を示す斜視図である。図８は同電気コネクタのコンタクトの斜視図である。図９は同電気コネクタのボディの凸部の部分拡大図である。図１０は同電気コネクタのスペーサの斜視図である。図１１は図６の部分拡大図である。
【００２０】
ここに掲げる電気コネクタは、高速差動伝送対応の基板実装型コネクタであって、図１乃至図６に示すように端子挿入孔１１１ａ，１１１ｂが各々形成されたボディ１００と、端子挿入孔１１１ａ，１１１ｂに各々圧入された上段・下段コンタクト群２００ａ，２００ｂと、ボディ１００の外周を取り囲むシールドカバー３００と、ボディ１００の背面に装着されるスペーサ４００とを備えており、ホディ１００の背面から出た上段・下段コンタクト群２００ａ，２００ｂの後端のリード部２０１４ａ、２０１４ｂ・・・等がピッチ間隔ｔで幅方向一列に並べて配置されている。
【００２１】
ボディ１００は、ＰＢＴ（ポリブチレンテレフタレート）やＰＰＳ（ポリフェニレンサルファイド）等の汎用の合成樹脂を射出成形したものであって、図４に示すように相手側コネクタＡが正面側に嵌合可能を形状となっている。
【００２２】
ボディ１００は、正面から背面にかけて形成された端子挿入孔１１１ａ，１１１ｂを中央部に有した略直方体状の本体部１１０と、本体部１１０の正面側に形成され且つ相手側コネクタＡの先端凹部に入り込む厚みの薄い略直方体状の凸部１２０と、本体部１１０の下方側に前方に向けて張り出して形成され且つ相手側コネクタＡの底部を支持する略板状のベース部１３０と、ベース部１３０の底面に下向きに形成された円柱状部材であって図外の基板の位置決め穴に対応した位置決め用のボス１４０とを有している。
【００２３】
本体部１１０の正面側には、相手側コネクタＡのコンタクト（図示せず）に対応して端子挿入孔１１１ａ，１１１ｂが等ピッチ間隔で幅方向に並べて且つ２段位相をずらせて間隔を開けて配置されている。端子挿入孔１１１ａ，１１１ｂは、上段・下段コンタクト群２００ａ，２００ｂの本体部２０１２ａ，２０１２ｂ等に対応して横長の角型貫通孔になっており、同一のものが各々１０個形成されている。
【００２４】
本体部１１０の背面には、図４及び図６に示すようにスペーサ４００が入り込み可能な切り欠き１１２が形成されている。切り欠き１１２の奥側面には端子挿入孔１１１ａ，１１１ｂの下方位置に溝１１４が下方向に直線状に各々形成されている。溝１１４は、上段・下段コンタクト群２００ａ，２００ｂの連結部２０１３ａ，２０１３ｂ等に対応した横幅を有し、ピッチ間隔ｔで幅方向に配列されている。切り欠き１１２の奥側面の端子挿入孔１１１ａ，１１１ｂの図６中右寄り位置には、スペーサ４００の装着部４３０に対応した角穴１１３が形成されている。
【００２５】
凸部１２０の上面には、図４及び図９（ａ）に示すように本体部１１０の端子挿入孔１１５ａに連通した溝１２１ａが長さ方向に直線状に形成されている一方、凸部１２０の下面には、図４及び図９（ｂ）に示すように本体部１１０の端子挿入孔１１１ｂに連通した溝１２１ｂが長さ方向に直線状に形成されている。溝１２１ａ，１２１ｂは、上段・下段コンタクト群２００ａ，２００ｂの接点部２０１１ａ，２０１１ｂ等に対応した横幅を有しており、端子挿入孔１１１ａ，１１１ｂと同様に幅方向に位相ずれして配列されている。
【００２６】
上段コンタクト群２００ａは、本実施形態においては、図１及び図６に示すようにコンタクト２０１ａ〜２０１０ａから構成されている。コンタクト２０１ａ〜２０１０ａは図４及び図８に示すように略Ｌ字状端子であって、先端側がボディ１００の端子挿入孔１１１ａに挿入保持される一方、基端側がボディ１００の背面に沿って配置されている。
【００２７】
コンタクト２０１ａは、具体的には、先端側の接点部２０１１ａと、接点部２０１１ａの後端に連なって設けられ且つボディ１００の端子挿入孔１１１ａに挿入される本体部２０１２ａと、本体部２０１２ａの後端に連なり且つボディ１００の背面に沿うように略直角に曲げて設けられた連結部２０１３ａと、連結部２０１３ａの後端に連なって略直角に曲げて設けられたリード部２０１４ａとを有している。
【００２８】
一方、下段コンタクト群２００ｂは、図１及び図６に示すようにコンタクト２０１ｂ〜２０１０ｂから構成されている。コンタクト２０１ｂ〜２０１０ｂは、図４及び図８に示すように略Ｌ字状端子であって、先端側がボディ１００の端子挿入孔１１１ｂに挿入保持される一方、基端側がボディ１００の背面に沿って配置されている。
【００２９】
コンタクト２０１ｂは、具体的には、先端側の接点部２０１１ｂと、接点部２０１１ｂの後端に連なって設けられ且つボディ１００の端子挿入孔１１１ｂに挿入される本体部２０１２ｂと、本体部２０１２ｂの後端に連なり且つボディ１００の背面に沿うように略直角に曲げて設けられた連結部２０１３ｂと、連結部２０１３ｂの後端に連なって略直角に曲げて設けられたリード部２０１４ｂとを有している。
【００３０】
コンタクト２０１ａ，２０１ｂの接点部２０１１ａ、接点部２０１１ｂについては、相手側コネクタＡがボティ１００に嵌合された状態で同コネクタのコンタクト（図示せず）に接触可能になっている。
【００３１】
コンタクト２０１ａとコンタクト２０１ｂとは、上段・下段コンタクト群２００ａ，２００ｂの段差の分だけ連結部２０１３ａの長さが連結部２０１３ｂに比べて長い点で異なっている。また、接点部２０１１ａと接点部２０１１ｂについてもその長さが異なるが、その点については後述する。
【００３２】
コンタクト２０１ａをボディ１００の端子挿入孔１１１ａに背面側から圧入すると、接点部２０１１ａがボディ１００の溝１２１ａ、本体部２０１２ａがボディ１００の端子挿入孔１１１ａ、連結部２０１３ａがボディ１００の溝１１４に各々挿入され、この状態で保持される。一方、コンタクト２０１ｂをボディ１００の端子挿入孔１１１ｂの背面側から圧入すると、接点部２０１１ｂがボディ１００の溝１２１ｂ、本体部２０１２ｂがボディ１００の端子挿入孔１１１ｂ、連結部２０１３ｂがボディ１００の溝１１４に各々挿入され、この状態で保持される。コンタクトａのリード部２０１４ａとコンタクトｂのリード部２０１４ｂとは幅方向に並び、図４に示すようにボディ１００のベース部１３０の底面と同一高さとなる。
【００３３】
なお、コンタクト２０２ａ〜２１０ａについてはコンタクト２０１ａと同様であり、コンタクト２０２ｂ〜２１０ｂについてもコンタクト２０１ｂと同様であることから、その説明は省略する。
【００３４】
このようにして上段・下段コンタクト群２００ａ，２００ｂがボディ１００に取り付けられた状態においては、図１１に示すように上段・下段コンタクト群２００ａ，２００ｂの連結部２０１３ａ・・・等がピッチ間隔ｔで配列される。ボディ１００の背面上の端子挿入孔１１１ａ、１１１ｂの近くでは、上段コンタクト２００ａのうち隣接するコンタクト２０１ａ〜２１０ａの各隙間が２×ｔとなっている空き領域αが各々存在している。また、上段・下段コンタクト群２００ａの両端には端領域βが各々存在している。なお、図１１中には、コンタクト２０１ａとコンタクト２０２ａとの間の空き領域α、コンタクト２０２ａとコンタクト２０３ａとの間の空き領域α、コンタクト２０１ａの側方の端領域βのみが示されている。
【００３５】
本実施形態の電気コネクタは、電源ライン又はシングルエンド信号の他、第１〜第５の差動信号を伝送するのに使用されるものであり、上段・下段のコンタクト群２００ａ，２００ｂは、電源ライン又はシングルエンド信号を伝送するためのコンタクト（２０７ａ，２１０ａ，２０７ｂ，２０９ｂ，２１０ｂ）、第１〜第５の差動信号を伝送するためのプラス信号用コンタクト（２０１ａ，２０２ｂ，２０４ａ，２０５ｂ，２０８ａ）、マイナス信号用コンタクト（２０２ａ，２０４ｂ，２０５ａ，２０６ｂ，２０９ａ）及びコモングランド用コンタクト（２０１ｂ，２０３ａ，２０５ｂ，２０６ａ，２０８ｂ）を有している。
【００３６】
特に、上段・下段コンタクト群２００ａ，２００ｂのうち第１〜第５の差動信号を伝送するためのコンタクト（２０１ａ〜２０６ａ，２０８ａ，２０９ａ、２０１ｂ〜２０６ｎ，２０８ｂ）について着目すると、図１に示すように長さ方向に垂直な断面上において、上記プラス信号用コンタクト及びマイナス信号用コンタクトを底辺側、コモングランド用コンタクトを頂点側として三角形状に配置したものが一組とされ、これらの５組が上下位置関係を交互に逆にして幅方向に順次配列されている。
【００３７】
本実施形態の電気コネクタにおいて、信号等の配置関係が上記した通りであることから、隣接コンタクトの差動ペア内及び差動ペア間で専ら低スキュー等にするために、コンタクト２０１ａ〜２１０ａの接点部２０１１ａ〜２１１１ａ及びコンタクト２０１ｂ〜２１０ｂの接点部２０１１ｂ〜２１１１ｂの長さの大小関係が図９に示すとおりとなっている。
【００３８】
なお、各コンタクトの形状、長さ、個数、配列及び信号等の割り当て等については適用対象に応じて適宜設計変更すれば良く、プラス信号用コンタクトとマイナス信号用コンタクトとの位置関係を逆にしてもかまわない。
【００３９】
シールドカバー３００は相手側コネクタＡがボティ１００に嵌合された状態で同コネクタの外周シールド（図示せず）に接触可能な金属製シェルである。具体的には、図１乃至図３に示すように正面及び背面が開放された角形枠状体であってボディ１００の外周を取り囲む本体部３１０と、本体部３１０の底面両側に形成された片状部材であって図外の基板の取り付け穴に対応した一対の脚部３２０と、ボディ１００の背面側開放面を塞ぐ板状部材であって本体部３１０の背面側に開閉自在に設けられたバックカバー部３３０とを有している。
【００４０】
なお、図３中３１１は本体部３１０の背面側の上部に設けられたバックカバー部３３０を開状態／開状態に維持するための軸支部材である。
【００４１】
スペーサ４００は誘電体からなる板状樹脂成部材であって、図５及び１０に示すようにボディ１００の背面から出た上段・下段コンタクト群２００ａ，２００ｂの連結部２０１３ａ，２０１３ｂ・・・等を覆い隠す程度の面積を有した板状体であってボディ１００の背面に対向して配設されるベース部４１０と、空き領域α及び端領域βに各々配置される略直方体状部材であってベース部４１０上に合計１１個並べて設けられた略直方体状の突起部４２０と、ベース部４１０上の一端側に設けられた略直方体状の装着部４３０とを有している。
【００４２】
スペーサ４００の材質として、例えばナイロン等、ボディ１００の材質の比誘電率に比べて大きい比誘電率を有するものが使用されている。
【００４３】
突起部４２０の幅方向の寸法は、上段コンタクト群の２００ａのコンタクト２０１ａ〜２１０ａの隙間より若干小さく設定される。装着部４３０の各側面には保持用の凸部４３１が直線状に形成されている。
【００４４】
即ち、スペーサ４００の装着部４３０がボディ１００の角穴１１３に挿入されると、装着部４３０の凸部４３１が角穴１１３の内面に接触して、その摩擦によりスペーサ４００が角穴１１３内で保持され、ボディ１００の切り欠き１１２内に装着される。この状態においては、突起部４２０がコンタクト２０１ａ〜２１０ａの各隙間及び両端に各々挿入され、空き領域α及び端領域β上に各々配置される。
【００４５】
そして、スペーサ４００をボディ１００の背面に装着し、シールドカバー３００のバックカバー部３３０が閉じられると、この状態においては、スペーサ４００のベース部４１０の裏面とバックカバー部３３０の裏面とが接触する。上段・下段コンタクト群２００ａ，２００ｂの後端のリード部２０１４ａ、２０１４ｂ・・・等は、シールドカバー３００のバックカバー部３３０の下方位置を通って外に出されている。
【００４６】
上記のように構成された電気コネクタの場合、ボディ１００の背面から出た上段コンタクト群２００ａの各隙間の空き領域α及び端領域βに誘電体であるスペーサ４００の突起部４２０が各々配置されていることから、空き領域αの両側に位置するコンタクト２０１ａ〜２１０ａの各間の静電容量が大きくなり、これに伴ってインピーダンスが小さくなる。また、スペーサ１００の材質や突起部４２０の大きさ又は形状等を変更するという方法で、そのインピーダンスの大きさを容易に調整することができる。
【００４７】
しかもボディ１００の背面から出た上段・下段コンタクト群２００ａ，２００ｂとシールドカバー３００のバックカバー部３２０との間がスペーサ４００により電気的に絶縁されていることから、耐電圧特性を低下させることなく、シールドカバー３００と上段・下段コンタクト群２００ａ，２００ｂの基端側との間の間隔を小さくすることができる。その間隔が小さくなると、コネクタ全体の小型化を図ることができるだけでなく、コンタクト間の静電容量が大きくなり、この面でもインピーダンスを小さくすることも可能になる。
【００４８】
更に、第１〜第５の差動信号を伝送するためのプラス信号用コンタクト（２０１ａ，２０２ｂ，２０４ａ，２０５ｂ，２０８ａ）、マイナス信号用コンタクト（２０２ａ，２０４ｂ，２０５ａ，２０６ｂ，２０９ａ）及びコモングランド用コンタクト（２０１ｂ，２０３ａ，２０５ｂ，２０６ａ，２０８ｂ）の配置関係が上記した通りであることから、差動ペア間及び差動ペア間の相対的な位置関係が等しくなっている。
【００４９】
よって、上段・下段コンタクト群２００ａ，２００ｂの上下段の位置違いに関係なく、インピーダンスのバラツキが抑止されるに至った。即ち、差動ペア内及び差動ペア間のインピーダンス整合が高レベルで実現され、これに伴って、コネクタの伝送特性を良好にすることが可能になった。
【００５０】
また、相手型コネクタＡがボディ１００に嵌合する際にコンタクト２０１ａ，２０１ｂ・・・等の接点部２０１１ａ、２０１１ｂ等に作用する力によりコンタクト２０１ａ，２０１ｂ・・・等がボディ１００の端子挿入孔１１１ａ，１１１ｂから後方に脱落しようとしても、コンタクト２０１ａ等の連結部２０１３ａ等がスペーサ４００のベース部４１０に接触して当て止めされることから、コンタクト２０１ａ等の脱落強度が高まる。また、コンタクト２０１ａ等の連結部２０１３ａ等とシールドカバー３００のバックカバー部３３０との間にスペーサ４００が介在されていることから、コンタクト２０１ａ等がシールドカバー３００に接触して電気的に短絡される虞れもなくなった。これらの点で、コネクタとしての高性能化を図ることも可能になった。
【００５１】
なお、本発明に係る電気コネクタは上記実施形態に限定されず、基板実装型に限定されず、ケーブル接続型にも同様に適用可能である。また、電気信号の伝送方式についても問われず、平衡型の伝送方式にも同様に適用可能である。
【００５２】
ボディに関しては、その形状及び材質、端子挿入孔の数及び配列等を適用対象に応じて適宜設計変更すれば良い。相手側コネクタが正面側に嵌合可能な形状を有し、端子挿入孔が等ピッチ間隔で幅方向に並べて且つ複数段位相をずらせて間隔を開けて配置された構成である限り、どのようなものを用いても良い。
【００５３】
コンタクト群に関しては、先端側がボディの端子挿入孔に挿入保持される一方、基端側がボディの背面に沿って配置される略Ｌ字状端子であり、後端のリード部がピッチ間隔ｔで幅方向一列に並べて配置された構成である限り、どのような形状等のものを用いても良い。
【００５４】
スペーサに関しては、ボディの背面上の端子挿入孔の近くで且つボディの背面から出た隣接コンタクトのうち隙間がｎ×ｔとなっている空き領域に配置可能な誘電体である限り、その形状等や取り付け方法が問われない。特に、コンタクト群の段数や配列等によっては、空き領域の隙間が２×ｔだけでなく、３×ｔ、４×ｔ・・・等となるケースもあり得るが、その全てのケースに同様に適用可能である。この場合、スペーサの材質、形状、厚み等を全て同じにするのではなく、隣接コンタクトのインピーダンスのバラツキに応じて異なるものを用いても良い。
【図面の簡単な説明】
【００５５】
【図１】本発明の実施形態を説明するための図であって、電気コネクタの正面図である。
【図２】同電気コネクタの平面図である。
【図３】同電気コネクタの背面図である。
【図４】同電気コネクタの側面図であって、シールドカバーを外した状態を示す図である。
【図５】同電気コネクタの背面図であって、シールドカバーのバックカバー部を開けた状態を示す図である。
【図６】同電気コネクタの背面図であって、シールドカバーのバックカバー部を開け、さらにボディからスペーサを取り外した状態を示す図である。
【図７】同電気コネクタのコンタクト群の配置関係等を示す斜視図である。
【図８】同電気コネクタのコンタクトの斜視図である。
【図９】同電気コネクタのボディの凸部の部分拡大図であって、（ａ）はその表側から見た図、（ｂ）はその裏側から見た図である。
【図１０】同電気コネクタのスペーサの斜視図である。
【図１１】図６の部分拡大図であって、ボディの背面から出た隣接コンタクト間の空き領域及び端領域の位置等を併せて示す図である。
【図１２】従来例を説明するための図であって、電気コネクタのボディの背面から出たコンタクト群の配列等を示す図である。
【符号の説明】
【００５６】
１００  ボディ
１１１ａ，１１１ｂ  端子挿入孔
２００ａ  上段コンタクト群
２０１ａ〜２０１０ａ  コンタクト
２００ｂ  下段コンタクト群
２０１ｂ〜２０１０ｂ  コンタクト
α  空き領域
３００  シールドカバー
３３０  バックカバー部
４００  スペーサ
４１０  ベース部
４２０  突起部
Ａ  相手側コネクタ
【図１】
0005001734.tif 000002
【図２】
0005001734.tif 000003
【図３】
0005001734.tif 000004
【図４】
0005001734.tif 000005
【図５】
0005001734.tif 000006
【図６】
0005001734.tif 000007
【図７】
0005001734.tif 000008
【図８】
0005001734.tif 000009
【図９】
0005001734.tif 000010
【図１０】
0005001734.tif 000011
【図１１】
0005001734.tif 000012
【図１２】
0005001734.tif 000013